(57)【要約】【課題】天然資源の使用量が少なく、安価で保水性に優れ、また雨天時にも滑りにくい防草構造を提供することである。【解決手段】瓦の廃材を破砕した瓦骨材２とセメント系固化材３との混合物を主体とする地面被覆材１を、地面Ｇに敷き均したうえでその表面に散水して固化させることにより、天然資源を多く使用することなく安価に施工でき、かつ保水性に優れたものとしたのである。また、瓦骨材２を所定の大きさに揃えて適度な透水性を付与することにより、表面に水たまりができにくいようにするとともに、散水による固化の過程で固化材３を沈降させて、瓦骨材２の一部を被覆材１表面から露出させ、被覆材１表面に適度な凹凸を形成することにより、滑りに対する抵抗性を高めたのである。【選択図】図１
2006161480.tif 000002
【特許請求の範囲】
【請求項１】
瓦の廃材を所定の大きさに破砕した瓦骨材とセメント系固化材との混合物を主体とする地面被覆材を地面に敷き均して散水し、前記瓦骨材の一部が地面被覆材の表面から露出した状態で固化させた防草構造。
【発明の詳細な説明】
【技術分野】
【０００１】
本発明は、地面を覆うことにより雑草の生育を防止する防草構造に関する。
【背景技術】
【０００２】
従来、建築物の周囲や道路の路肩等における雑草の繁茂に対する対策としては、地面をコンクリートで覆って雑草の生育を防止する防草構造が広く採用されてきた。しかし、このような従来の防草構造は、地面へのコンクリートの打設が都市部でのヒートアイランド現象の一因となっていることから、地面被覆材の改善が強く求められている。また、実用面においては、表面が滑らかなうえ、透水性が低くて水たまりができやすいため、雨天時に足を滑らせて転倒する事故が起こりやすいという問題もある。
【０００３】
一方、防草構造の地面被覆材として、真砂土と固化材との混合物を主体とし、地面に敷き均して散水することにより固化させたものが提案され（例えば、特許文献１参照。）、一部実用化されている。このような真砂土を用いた防草構造は、その保水性によりヒートアイランド現象の拡大を抑制することができる。また、特許文献１には、施工場所（道路路肩）から除去した真砂土を使用することにより、真砂土の有効利用およびコストの低減が図れることが記載されている。
【０００４】
しかしながら、上記真砂土を用いた防草構造では、特許文献１に記載されたように施工場所の土砂をそのまま使用できる場合はまれで、通常は、熱処理や粒度調整等の処理が施された高価な真砂土を購入して使用しており、従来の防草構造に比べて材料コストがかなり高い。また、自然環境から採取された土砂を原料とする真砂土を多く使用することは、環境保護の観点からも必ずしも好ましい方法とは言えない。
【特許文献１】特許第３２０７１２８号公報
【発明の開示】
【発明が解決しようとする課題】
【０００５】
本発明の課題は、天然資源の使用量が少なく、安価で保水性に優れ、また雨天時にも滑りにくい防草構造を提供することである。
【課題を解決するための手段】
【０００６】
上記の課題を解決するために、本発明の防草構造は、瓦の廃材を所定の大きさに破砕した瓦骨材とセメント系固化材との混合物を主体とする地面被覆材を地面に敷き均して散水し、前記瓦骨材の一部が地面被覆材の表面から露出した状態で固化させた構成とした。
【０００７】
すなわち、防草構造の地面被覆材として、瓦の廃材を骨材に再利用したコンクリートを用いることにより、天然資源を多く使用することなく安価に施工でき、かつ保水性に優れたものとしたのである。また、瓦骨材を所定の大きさに揃えて適度な透水性を付与することにより、表面に水たまりができにくいようにするとともに、散水による固化の過程で固化材を沈降させて、瓦骨材の一部を被覆材表面から露出させ、被覆材表面に適度な凹凸を形成することにより、滑りに対する抵抗性を高めたのである。
【発明の効果】
【０００８】
本発明の防草構造は、上述したように、地面被覆材として瓦の廃材を再利用したコンクリートを用いたので、保水性に優れ、都市部のヒートアイランド現象の拡大を抑制することができる。しかも、真砂土を使用したものよりも安価に施工できるし、天然資源採取の抑制という点で環境保護にも寄与することができる。さらに、通常は埋立材として使用されたり、放置されたりすることの多い瓦廃材を有効に活用することができる。
【０００９】
また、実用面では、透水性を有するため水たまりができにくいし、瓦骨材の一部が表面から露出して表面に適度な凹凸が形成されているので、雨天時にも足を滑らせる心配がなく、従来のコンクリートを用いたものに比べて極めて安全性が高い。
【発明を実施するための最良の形態】
【００１０】
以下、図面に基づき、この発明の実施形態を説明する。この防草構造は、図１に示すように、地面Ｇを覆うことにより雑草の生育を防止するもので、その地面被覆材１は、主として瓦の廃材を所定の大きさに破砕した瓦骨材２とセメント系固化材３との混合物からなり、その表面から瓦骨材２の一部が露出することにより表面に細かな凹凸が形成されている。
【００１１】
この防草構造の施工手順は、図２に示すように、まず、施工場所の整地を行い、整地された地面に地面被覆材１を敷き均す。そして、敷き均した地面被覆材１の表面にシャワーノズル等で散水した後、２４時間程度養生して固化させる。この散水による固化の過程で、固化材３の一部が多孔質体である瓦骨材２の内部や瓦骨材２どうしの隙間に入り込んで、固化材３全体が沈降することにより、瓦骨材２の一部が地面被覆材１の表面から露出して、被覆材１表面に凹凸が形成される。
【００１２】
上記施工手順では、従来のコンクリート打設による防草構造の施工の場合と比べて、予め骨材と固化材と水とを混練して作った生コンクリートを生コン車で施工現場まで運搬したり、施工現場で混練作業を行って生コンクリートを作ったりする必要がなく、効率よく施工作業を行うことができる。また、生コンクリートの流動性が失われないうちに型枠への流し込みを完了させねばならないといった時間的な制約がなく、作業計画の変更等にも容易に対応できる。
【００１３】
ここで、前記瓦骨材２は、住宅の建替え等により発生する瓦の廃材をロールクラッシャ等の破砕機で所定の大きさに破砕したもので、その大きさは、固化後の地面被覆材１の透水性、およびセメント系固化材３の沈降量すなわち表面の凹凸の大きさを考慮して、適切な範囲（通常は０〜１０ｍｍ程度）に設定されている。
【００１４】
また、前記セメント系固化材３としては、ポルトランドセメントを用いているが、これに限らず、高炉セメント、フライアッシュセメント、シリカセメント等の混合セメントや、それ以外の特殊なセメントを使用することもできる。
【００１５】
この防草構造は、上記の構成であり、地面被覆材の骨材として瓦の廃材を再利用しているので、安価で保水性に優れ、ヒートアイランド現象の拡大を抑制することができる。また、透水性を有するため水たまりができにくいし、表面に適度な凹凸が形成されているので、雨天時にも足を滑らせる心配がなく、安全性が非常に高い。さらに、被覆材は顔料を添加しなくても瓦の自然の色の外観が得られ、夏季の照り返しも少ない。従って、歩道や庭等に特に有効に使用することができる。
【図面の簡単な説明】
【００１６】
【図１】実施形態の防草構造の構成を示す説明図
【図２】図１の防草構造の施工手順を示すフローチャート
【符号の説明】
【００１７】
１  地面被覆材
２  瓦骨材
３  固化材
Ｇ  地面
【図１】
2006161480.tif 000003
【図２】
2006161480.tif 000004